(57)【要約】【課題】  隔離部材へ煙草の煙が接触するのを阻止して煙草のヤニが付着しにくい分煙室を提供する。【解決手段】  分煙室１は床材２０上に配設された側壁材２と天井材５とによって周囲と隔離されている。天井材５には、分煙室１内の空気を外へ排出するための換気扇７と排気ダクト８が配設され、側壁材の一部にはドアが設けられている。側壁材２および天井材５の内側表面にエアーカーテンを形成するためのエアーカーテン形成部として、側壁材２の床材２０と接触する下端部に分煙室１の外の空気を取り入れるための開口部４ａと、取り入れた空気を側壁材２内側表面に沿って送り出すためのガイド板１１が取り付けられている。ガイド板１１はガイド板押板バネにより付勢されて、ドアが開けられている状態では開口部を覆い、ドアが閉じられた状態では上方に向かって開かれる。【選択図】        図２
0003107914.tif 000002
【実用新案登録請求の範囲】
【請求項１】
床材上に立設されて周囲と隔離された空間を形成するための隔離部材を有する分煙室であって、
前記隔離部材の外側の周囲の空気を取り入れるとともに、取り入れられた空気を前記隔離部材の内側表面に沿って送り出すエアーカーテン形成部と、
周囲と隔離された前記空間内の空気を前記空間の外に排出するための排気部と
を備えた、分煙室。
【請求項２】
前記エアーカーテン形成部は、
床材と接触する前記隔離部材の下端部に形成された開口部と、
前記開口部と対向するように前記隔離部材の内側に配設され、上方に向かって開いたガイド部材と
を含む、請求項１記載の分煙室。
【請求項３】
人が出入りするためのドアと、
前記ガイド部材を前記隔壁材の側へ付勢する弾性部材と
を備え、
前記エアーカーテン形成部は、前記ドアが開いている状態では、前記開口部から空気が取り入れられるのを阻止するように前記弾性部材により前記ガイド部材を前記隔壁材の側に付勢して前記開口部を覆い、前記ドアが閉じられている状態では、周囲と隔離された前記空間内の圧力と周囲の圧力との差圧により前記弾性部材の付勢力に抗して前記第１の部材が前記隔離部材から離されて、前記開口部から空気が取り入れられるよう構成された、請求項２記載の分煙室。
【請求項４】
前記ドアはスライドドアである、請求項３記載の分煙室。
【請求項５】
前記開口部と対向するように前記隔離部材の外側に配設され、前記開口部から異物が侵入するのを阻止するための異物侵入阻止部材を備えた、請求項１〜４のいずれかに記載の分煙室。
【考案の詳細な説明】
【技術分野】
【０００１】
本考案は分煙室に関し、特に、煙草のヤニが付着しにくい分煙室に関するものである。
【背景技術】
【０００２】
喫煙の害が呼びかけられ、禁煙運動が叫ばれる一方で、個人による喫煙の自由を主張する喫煙者がいる。他人のすう煙草の害を受けるパッシブスモーキング（受動的喫煙）の影響を除き、また喫煙者の喫煙の自由を妨げないために、公共の場所や職場に分煙室を設ける傾向が強くなっている。このような需要に対応するために、各種の分煙室の提案がなされてきている。
【０００３】
たとえば、特許文献１では、アミノ基を含む化合物に化学結合させた脱臭効果の高い脱臭剤を建材に用いた分煙室が提案されている。このような建材を分煙室の壁などに用いることにより、分煙室における煙草のヤニ臭さを抑えている。
【０００４】
分煙室としては、この他に、特許文献２には、煙草のけむり中の粒子状物質などを除去しながら熱損失を防止するために、屋外と分煙室との空気交換を行なうためのファンと、屋外から吸引された空気と分煙室から排出される空気との熱交換を行なう熱交換装置とを備える分煙室が提案されている。この分煙室では、分煙室にフレッシュな外気を導入しながら省エネルギーを達成している。また、特許文献３では、煙草のけむり中の微粒子を除去するために、活性炭フィルタとユーロベント分類にしたがう所定のフィルタとを組み合せたフィルターユニットを用いた分煙室も提案されている。
【特許文献１】特開２００２−３０６５８２号公報
【特許文献２】特開２００３−６４８９３号公報
【特許文献３】ＷＯ９４／１４０１３（特表平８−５０７８５０号公報）
【考案の開示】
【考案が解決しようとする課題】
【０００５】
従来の分煙室では、分煙室内の臭いを除去したり、また、分煙室の空気を清浄化したり、あるいは、煙草のけむり中の微粒子を除去したりしている。しかしながら、従来の分煙室では分煙室の壁面に煙草の煙が接触しやすく、そのため、壁面に煙草のヤニが付着しやすいという問題があった。
【０００６】
本考案は、上記問題点を解決するためになされたものであり、その目的は、周囲の空間と隔離する隔離部材へ煙草の煙が接触するのを阻止して煙草のヤニが付着しにくい分煙室を提供することである。
【課題を解決するための手段】
【０００７】
本考案に係る分煙室は、床材上に立設されて周囲と隔離された空間を形成するための隔離部材を有する分煙室であって、エアーカーテン形成部と排気部とを備えている。エアーカーテン形成部は隔離部材の外側の周囲の空気を取り入れるとともに、取り入れられた空気を隔離部材の内側表面に沿って送り出す。排気部は周囲と隔離された空間内の空気をその空間の外に排出する。
【０００８】
この構成によれば、エアーカーテン形成部により隔離部材の内側表面にエアーカーテンが形成されることで、煙草の煙はそのエアーカーテンの空気の流れに乗って排気部にまで運ばれ、煙が隔離部材に接触するのを阻止することができる。その結果、煙草のヤニが隔離壁の表面に付着するのを抑制することができる。
【０００９】
隔離部材の内側表面にエアーカーテンを形成するために、エアーカーテン形成部としては、床材と接触する隔離部材の下端部に形成された開口部と、その開口部と対向するように隔離部材の内側に配設され、上方に向かって開いたガイド部材とを有していることが好ましい。
【００１０】
また、人が出入りするためのドアの開閉によって分煙室内の煙草の煙が分煙室の外へ拡散しないように、ガイド部材を隔壁材の側へ付勢する弾性部材を備えて、エアーカーテン形成部として、ドアが開いている状態では、開口部から空気が取り入れられるのを阻止するようにその弾性部材によりガイド部材を隔壁材の側に付勢して開口部を覆い、ドアが閉じられている状態では、周囲と隔離された空間内の圧力と周囲の圧力との差圧により弾性部材の付勢力に抗して第１の部材が前記隔離部材から離されて、開口部から空気が取り入れられるよう構成されていることが好ましい。
【００１１】
また、ドアの開閉によって分煙室内の煙草の煙が分煙室の外へ拡散しないようにするために、ドアとしてはスライドドアがより好ましい。
【００１２】
さらに、開口部から空気とともに異物が侵入するのを阻止するたに、開口部と対向するように隔離部材の外側に異物侵入阻止部材を配設することが好ましい。
【考案を実施するための最良の形態】
【００１３】
本考案の実施の形態に係る分煙室について説明する。図１に示すように、分煙室１は床材２０上に配設された側壁材２と天井材５とによって周囲の空間と隔離されている。側壁材２は、透明なガラス板３とパネル壁４とによって構成されている。天井材５には、分煙室１内の煙草の煙を空気とともに外へ強制的に排出するための換気扇７と排気ダクト８が配設されている。側壁の一部にはドア６が設けられている。ドア６はレール（図示せず）上を左右（矢印３３）に移動する引き戸になっている。
【００１４】
また、ガラス板３を含む側壁材２および天井材５の分煙室内側の表面には、光触媒作用を有する二酸化チタン（ＴｉＯ2）（図示せず）が所定のバインダーによって付着されている。また、図２に示すように、天井材５にはその光触媒作用を発揮させるための紫外線発生体であるブラックライト１０が配設されている。ブラックライト１０は所定のブラックライト配置板２１の上面側に配設されている。そのブラックライト配置板２１の下面側には分煙室１内の照明として蛍光灯９が配設されている。
【００１５】
そして、この分煙室１では、側壁材２および天井材５の内側表面にエアーカーテンを形成するためのエアーカーテン形成部として、床材２０と接触する側壁材２の下端部に、分煙室１の外側の空気を分煙室１の内側に取り入れるための開口部４ａと、その取り入れた空気を側壁材２内側表面に沿って送り出すためのガイド板１１が取付けられている。ガイド板１１は、開口部４ａと対向するように側壁材２の内側に取り付けられている。また、分煙室１の外の空気を取り込む際に、床材２０の上に落ちているごみなどの異物が分煙室１内に入らないようにするために異物侵入阻止板１６が配設されている。異物侵入阻止板１６は開口部４ａと対向するように側壁材２の外側に配設されている。
【００１６】
そのエアーカーテン形成部の構成についてさらに詳細に説明する。図３〜図６に示すように、ガイド板１１は、開口部４ａと対向するように側壁材２の内側に配設され、ガイド板受１２により下方からこの部分を支点として回動可能に支持されている。また、側壁材２の下端部には、そのガイド板１１を側壁材２の側に所定の付勢力をもって付勢するためのガイド板押板バネ１５が取付けられている。
【００１７】
ガイド板押板バネ１５の付勢力は、次のように設定されている。まず、分煙室１内の空気は換気扇７より分煙室１の外へ強制的に排出されているため、ドア６が閉じられて状態では、分煙室内の圧力（気圧）は分煙室１の外側の圧力（気圧）よりも相対的に低い負圧状態となっている。この状態では、分煙室１の内側と外側との差圧によって分煙室１の外側から内側に向かってガイド板１１を押す力がガイド板押板バネ１５の付勢力よりも勝って、図５に示すように、ガイド板１１は上方に向かって開いた状態となる。
【００１８】
一方、人が出入りするためにドア６が開けられると、開いたドア６から空気が分煙室１内に大量に取り込まれるため、分煙室１内の圧力（気圧）は分煙室１の外側の圧力（気圧）により近づくことになる。この状態では、分煙室１の内側と外側との差圧が小さくなって、ガイド板押板バネ１５の付勢力がガイド板１１を分煙室１の外側から内側に向かって押す力よりも勝って、図６に示すように、開口部４ａはガイド板１１によって閉じられた状態となる。
【００１９】
そのガイド板押板バネ１５は、図４に示すように、側壁材２との間に介在させたスペーサ１３に座金１４によって固定されている。ガイド板１１の開き具合（角度θ）は、スペーサ１３を取付ける高さＨおよびスペーサ１３の厚さＴによって調節される。
【００２０】
次に、上述した分煙室の使用状態について説明する。まず、喫煙者はドア６を開けて分煙室１内に入室し、ドア６を閉じて喫煙を始める。上述したように、分煙室１内は換気扇７によって強制的に排気されているため、ドア６を閉じた状態では、分煙室１内の圧力は分煙室１の外側の圧力よりも相対的に低くなる。つまり、分煙室１内は負圧の状態になっている。そのため、分煙室１の内側と外側とで圧力差（差圧）が生じ、その生じた差圧によって分煙室１の外側から内側に向かってガイド板１１を押す力がガイド板押板バネ１５の付勢力よりも勝って、ガイド板１１は上方に向かって開かれることになる。
【００２１】
これにより、図７に示すように、分煙室１の外側の空気が開口部４ａを介して分煙室１内に取り入れられ、その取り入れられた空気はガイド板１１によって側壁材２の内側表面に沿って送り出される。側壁材２の内側表面に沿って空気が送り出されることで、図８に示すように、側壁材２の内側表面および天井材５の内側表面には側壁材２の下端部から上端部を経て換気扇７に向かう空気の流れ、すなわち、エアーカーテン３２が形成されることになる。
【００２２】
側壁材２の内側表面にエアーカーテン３２が形成されることで、煙草の煙はその空気の流れに乗って換気扇７まで運ばれ、煙が側壁材２に接触するのを阻止することができる。その結果、煙草のヤニが側壁材２の表面に付着するのを抑制することができる。また、側壁材２の外側に異物侵入阻止板１６が形成されていることで、開口部４ａから空気を取り入れる際に、床材２０の上に落ちているごみなどの異物が空気と一緒に分煙室１内に入るのを阻止することもできる。
【００２３】
次に、新たな喫煙者が分煙室１で喫煙をしようとしてドア６を開けた場合を想定する。ドア６を開けるまでは分煙室１内は負圧の状態になっているため、ドア６を開けると開いたドア６から空気が分煙室１内に大量に取り込まれて、分煙室１内の圧力（気圧）は分煙室１の外側の圧力（気圧）により近づくことになる。そのため、分煙室１の内側と外側との差圧が小さくなり、ガイド板押板バネ１５の付勢力がガイド板１１を分煙室１の外側から内側に向かって押す力よりも勝って、ガイド板１１によって開口部４ａは閉じられることになる。このようにして、図１０に示すように、ドア６が開いている状態では開口部４ａはガイド板１１によって閉じられていることになる。
【００２４】
換気扇７の排気能力は一定であるため、開口部４ａが閉じられた状態でドア６から分煙室１内に取り入れられる空気の量は、ドア６と開口部４ａの双方が開けられている状態でドア６から取り入れられる空気の量よりも多くなる。これにより、図９に示すように、開いたドア６を介して分煙室１の外側から内側に向かう空気の流れ３１が十分に形成されて、分煙室１内の煙草の煙が分煙室１の外へ拡散するのを確実に阻止することができる。
【００２５】
人の出入りが済むとドア６は再び閉じられる。ドア６が閉じられると、上述したように、換気扇７による強制排気によって分煙室１内が負圧の状態になり、分煙室１の内側と外側とで生じた差圧によって、開口部４ａを覆っていたガイド板１１はガイド板押板バネ１５の付勢力に抗して上方に向かって開かれることになる。こうして、側壁材２の内側表面および天井材５の内側表面に再びエアーカーテン３２が形成されて、煙が側壁材２に接触するのを阻止して、煙草のヤニが側壁材２の表面に付着するのを抑制することができる。
【００２６】
また、上述した分煙室では、天井材５および側壁材２の分煙室内側の表面には、光触媒作用を有する二酸化チタン（ＴｉＯ2）が付着され、天井材５には紫外線発生体であるブラックライト１０が配設されている。光触媒物質は電気的に半導体であり、紫外光によって励起されると、電子が伝導帯に励起され価電子帯に正孔が形成される。電子は酸素分子を活性化して有機物を分解する作用が強い活性酸素を形成し、正孔は水分子から強力な化学反応性を有するヒドロキシラジカルを形成する。
【００２７】
そのため、ブラックライトにより紫外線を光触媒である二酸化チタンに向けて照射することで、天井材５および側壁材２の分煙室内側の表面では活性酸素やヒロドキシラジカルが形成されることになる。これにより、人の出入りのためにドア６を開けた際に、開口部４ａが閉じられてエアーカーテンが形成されないような状態において、たとえ側壁材２等の内側表面に煙草の煙が接触するようなことがあっても、煙草のヤニは活性酸素やヒドロキシラジカルと反応して炭酸ガスや水分子に分解されて、側壁材２等の内側表面に煙草のヤニが付着するのを確実に阻止することができる。
【００２８】
なお、上述した分煙室１のドア６としては、人の出入りの際に分煙室１内の煙草の煙をできるだけ分煙室１の外へ拡散させないようにするために引き戸の態様が好ましい。また、その引き戸のドアとしては、図１１に示すように、ドア６が閉じられる側に向かって下方に傾斜したレール１７を設けて、そのレールにドア６を掛けるようにしてもよい。こうすることで、開けられたドア６は自然に閉じた位置に戻り、喫煙者がドア６を閉じるのを忘れてドア６が開いた状態が続くのを防止することができる。
【００２９】
なお、今回開示された実施の形態はすべての点で例示であってこれに限られるものではない。本考案は実用新案登録請求の範囲によって示され、実用新案登録請求の範囲と均等の意味および範囲でのすべての変更が含まれることが意図される。
【産業上の利用可能性】
【００３０】
本考案の分煙室を用いることにより、側壁材や天井材の内側表面に煙が接触するのを阻止して、煙草のヤニが付着するのを抑制することができ、分煙室内をより清潔に維持することができる。このため、官公庁、民間を問わず、多くの建物内において広範に利用されることが期待される。
【図面の簡単な説明】
【００３１】
【図１】本考案の実施の形態に係る分煙室の斜視図である。
【図２】同実施の形態において、図１に示す分煙室の断面図である。
【図３】同実施の形態において、側壁材下端部を示す部分平面図である。
【図４】同実施の形態において、図３に示す断面線ＩＶ−ＩＶにおける部分断面図である。
【図５】同実施の形態において、図３に示す断面線Ｖ−Ｖにおける第１の状態を示す部分断面図である。
【図６】同実施の形態において、図３に示す断面線Ｖ−Ｖにおける第２の状態を示す部分断面図である。
【図７】同実施の形態において、側壁材下端部の第１の状態を示す部分斜視図である。
【図８】同実施の形態において、分煙室内においてエアーカーテンが形成される様子を示す断面図である。
【図９】同実施の形態において、人の出入りのためにドアが開けられた状態における分煙室の斜視図である。
【図１０】同実施の形態において、側壁材下端部の第２の状態を示す部分斜視図である。
【図１１】同実施の形態において、ドアの変形例を示す部分平面図である。
【符号の説明】
【００３２】
１  分煙室、２  側壁材、３  ガラス板、４  パネル壁、４ａ  開口部、５  天井材、６  ドア、７  換気扇、８  ダクト、９  蛍光灯、１０  ブラックライト、１１  ガイド板、１２  ガイド板受け、１３  スペーサ、１４  座金、１５  ガイド板押板バネ、１６  異物侵入阻止板、１７  レール、２０  床材、２１  ブラックライト配置板、３２  エアーカーテン。
【図１】
0003107914.tif 000003
【図２】
0003107914.tif 000004
【図３】
0003107914.tif 000005
【図４】
0003107914.tif 000006
【図５】
0003107914.tif 000007
【図６】
0003107914.tif 000008
【図７】
0003107914.tif 000009
【図８】
0003107914.tif 000010
【図９】
0003107914.tif 000011
【図１０】
0003107914.tif 000012
【図１１】
0003107914.tif 000013